(57)【要約】【課題】  気象要素などから植物を保護し、設置が容易な植物用カバーを提供する。【解決手段】  植物用カバーは、筒状のカバー本体と、カバー本体に設けられ、カバー本体とともにカバー本体の外側に溝部を形成する外側部と、カバー本体のうち溝部を形成する部分において内外を貫通する給水孔と、を備えている。【選択図】      図１
2017184676.tif 000002
【特許請求の範囲】
【請求項１】
筒状のカバー本体と、
前記カバー本体に設けられ、前記カバー本体とともに前記カバー本体の外側に溝部を形成する外側部と、
前記カバー本体のうち前記溝部を形成する部分を内外に貫通する給水孔と、を備えることを特徴とする植物用カバー。
【請求項２】
前記カバー本体の一方の開口に着脱する蓋部を備えることを特徴とする請求項１記載の植物用カバー。
【請求項３】
前記カバー本体のうち、前記給水孔の下端に、前記カバー本体の中心軸に向かって下方に傾斜して延びる導水路を備えることを特徴とする請求項１または２記載の植物用カバー。
【発明の詳細な説明】
【技術分野】
【０００１】
本発明は、植物用カバーに関する。
【背景技術】
【０００２】
植物を風などの気象要素ならびに虫および動物から保護するものとして、特許文献１には、テーパー筒状の苗保護カバーが開示されている。
しかしながら、この苗保護カバーは、使用の際にはその下部を土壌に埋め込む必要があるため、設置に手間がかかり、しかも土壌が固い場合には、苗保護カバーを埋め込むことができないという問題がある。
【先行技術文献】
【特許文献】
【０００３】
【特許文献１】実用新案登録第３０３１５２３号
【発明の概要】
【発明が解決しようとする課題】
【０００４】
そこで本発明は、気象要素などから植物を保護し、設置が容易な植物用カバーを提供することを目的とする。
【課題を解決するための手段】
【０００５】
植物用カバーは、筒状のカバー本体と、カバー本体に設けられ、カバー本体とともにカバー本体の外側に溝部を形成する外側部と、カバー本体のうち溝部を形成する部分を内外に貫通する給水孔と、を備えている。
【０００６】
また、植物用カバーは、カバー本体の一方の開口に着脱する蓋部を備えるものであってもよい。
【０００７】
また、植物用カバーは、カバー本体のうち、給水孔の下端に、カバー本体の中心軸に向かって下方に傾斜して延びる導水路を備えるものであってもよい。
【発明の効果】
【０００８】
上記植物用カバーは、風、雨または雪などによる気象要素や、虫や動物などから植物を保護することができる。
上記植物用カバーは、土壌に埋める必要は無く、土壌に置くだけでよいので、設置が容易であり、しかも溝部に水を溜めることにより、風に飛ばされないようにすることができる。また、カバー本体に給水孔を備えることにより、溝部にたまる水の水位が給水孔を越えると、水が給水孔を通じてカバー内に流れ、植物に自動的に給水することができるので、植物に水をやる手間を省くことができる。
【図面の簡単な説明】
【０００９】
【図１】植物用カバーを示す斜視図である。
【図２】植物用カバーを示す平面図である。
【図３】図２のIII-III線断面図である。
【図４】蓋部を備える植物用カバーを示す断面図である。
【図５】植物用カバーの使用状況を示す一部断面図である。
【発明を実施するための形態】
【００１０】
以下、本発明の実施形態の植物用カバーについて説明する。図１ないし図４は本実施形態の植物用カバーを示す。
植物用カバーは、カバー本体１０と、外側部２０と、給水孔３０と、を備えている。
【００１１】
カバー本体１０は、筒状であり、上下に開口を有している。また、カバー本体１０は、内外の径が、上に向かって直線的に小さくなっており、上端付近では逆に上に向かって曲線的に大きくなる形状となっている。
【００１２】
外側部２０は、底部２４と、側部２２と、を備えている。底部２４は、カバー本体１０の下端から放射状に外側（側方）に向かって延びている。側部２２は、底部２４の外側の端部から上に向かって延びており、カバー本体１０の下部の外周を囲っている。底部２４と側部２２とカバー本体１０とにより囲まれる領域、言い換えれば外側部２０とカバー本体１０とにより囲まれる領域が、溝部２６となる。
【００１３】
給水孔３０は、カバー本体１０のうち溝部２６を形成する部分を内外に貫通するものであり、同心円上に複数備えられている。給水孔３０は、本実施形態では、カバー本体１０のうち側部２２の上端より低い部分に設けられている。なお、給水孔３０の数は、適宜変更してよい。
【００１４】
カバー本体１０のうち、給水孔３０の下端には、カバー本体１０の中心軸に向かって下方に傾斜して延びる導水路３２が設けられている。導水路３２の形状は、水Ｗが流れる形状であればどのようなものであっても構わないが、例えば横断面を溝状にすることができる。
【００１５】
植物用カバーは、図４に示すように、カバー本体１０の上側の開口を着脱自在に塞ぐことができる蓋部４０を備えるものであってもよい。蓋部４０は、板状の蓋本体４２と、蓋本体４２の周縁から下方に延びる縁部４４と、を備えている。なお、蓋部４０は、カバー本体１０の上側の開口を着脱自在に塞ぐことができるものであればどのような形態であってもよい。
カバー本体１０および蓋部４０は、紐やリング状の部材などの連結部材４６により互いに連結してもよい。このようにすると、蓋部４０が風により吹き飛ばされるのを防止することができる。
【００１６】
カバー本体１０、外側部２０、導水路３２および蓋部４０の素材は、特に限定されるものではないが、植物Ｐの生育の観点からは、透明な樹脂または透光性を有する樹脂が好ましい。
【００１７】
以上に示した植物用カバーは、図５に示すように、土壌Ｓに植えられた植物Ｐ等に対し、カバー本体１０で植物Ｐを覆うようにして土壌Ｓに置いて使用する。溝部２６には、降雨等により、または人工的に水を供給することにより、水Ｗをためられるので、溝部２６に貯まった水Ｗが植物用カバーの重りとして機能する。また、溝部２６にたまる水Ｗの水位が、給水孔３０の下端より高くなると、溝部２６の水Ｗがカバー本体１０内に流れる。また、カバー本体１０内に流れる水Ｗは、導水路３２により、カバー本体１０の中心軸寄りに流れるようになっている。
また、カバー本体１０の上側の開口部に蓋を着脱することにより、カバー本体１０内の温度を調整することができる。
【００１８】
上記植物用カバーによると、風、雨または雪などによる気象要素や、虫や動物などから植物Ｐを保護することができる。
上記植物用カバーは、土壌Ｓに埋める必要は無く、土壌Ｓに置くだけでよいので、設置が容易であり、しかも溝部２６に水Ｗを貯めることができるので、風に対して飛ばされ難くなっている。
【００１９】
また、カバー本体１０に給水孔３０を備えることにより、溝部２６に水Ｗがたまり、その水位が給水孔３０を越えると、水Ｗが給水孔３０を通じてカバー内に流れ、植物Ｐに自動的に給水が行われるので、植物Ｐに水をやる手間を省くことができる。
また、蓋部４０を備えているので、カバー本体１０内の温度を適宜直物に適した温度に調整することができる。
【００２０】
また、上記植物用カバーは、カバー本体１０の上端付近の径が上に向かって曲線的に大きくなる形状となっているので、植物Ｐが成長してもカバー本体１０の上端により植物Ｐが傷つかないようになっている。
【００２１】
また、導水路３２を備えているので、カバー本体１０内に流れる水Ｗを、確実に植物Ｐに導くことができる。
【００２２】
本発明の植物用カバーは、上記実施形態に特に限定されるものではなく、本発明の要旨の範囲内において適宜変更することができる。
なお、植物用カバーは、かぎ状（Ｌ字状）の固定部材を備えるものであってもよい。固定部材をそのかぎ状部分を側部２２の上端にかけて他端を土壌Ｓに差し込むと、植物用カバーをより安定的に設置することができる。
【符号の説明】
【００２３】
１０    カバー本体
２０    外側部
２２    側部
２４    底部
２６    溝部
３０    給水孔
３２    導水路
４０    蓋部
４２    蓋本体
４４    縁部
４６    連結部材
Ｐ    植物
Ｓ    土壌
Ｗ    水
【図１】
2017184676.tif 000003
【図２】
2017184676.tif 000004
【図３】
2017184676.tif 000005
【図４】
2017184676.tif 000006
【図５】
2017184676.tif 000007